(57)【要約】【課題】表示領域に支障をなくし、異なる種類の液晶が封入された複数の表示領域を備える液晶表示装置の提供。【解決手段】液晶を介して対向配置される各基板を外囲器とする液晶表示装置であって、  その表示領域にシール剤によって画される第１表示領域および第２表示領域を備え、前記第１表示領域は前記第２表示領域の周辺に形成され、  前記第２表示領域を囲む第２シール剤は液晶封入口を備えることなく連続して形成され、前記第１表示領域を囲む第１シール剤はその一部に液晶封入口が形成され、  第１表示領域に充填される液晶に対し第２表示領域に充填される液晶はその材料が異なる種類のものからなる。【選択図】図１
2009139603.tif 000002
【特許請求の範囲】
【請求項１】
液晶を介して対向配置される各基板を外囲器とする液晶表示装置であって、
その表示領域にシール剤によって画される第１表示領域および第２表示領域を備え、前記第１表示領域は前記第２表示領域の周辺に形成され、
前記第２表示領域を囲む第２シール剤は連続して形成され、前記第１表示領域を囲む第１シール剤はその一部に液晶封入口が形成され、
第１表示領域に充填される液晶に対し第２表示領域に充填される液晶はその材料が異なる種類のものからなることを特徴とする液晶表示装置。
【請求項２】
前記第２表示領域は前記表示領域のほぼ中央に形成されていることを特徴とする請求項１に記載の液晶表示装置。
【請求項３】
前記第１表示領域は画像を表示する領域として構成され、前記第２表示領域は光学的シャッター機能を有する領域として構成されていることを特徴とする請求項２に記載の液晶表示装置。
【請求項４】
液晶を介して対向配置される各基板のうちいずれかの基板に、表示領域の少なくとも周辺を除く部分に形成される第２表示領域を囲み液晶封入口を有しない第２シール剤と、該表示領域の少なくとも周辺に形成される第１表示領域を囲み液晶封入口を有する第１シール剤を形成する工程と、
前記第２シール剤が形成された基板の第２表示領域に液晶を滴下して充填させる工程と、
前記第２シール剤が形成された基板と他の基板を前記第１シール剤および第２シール剤を介して対向配置させる工程と、
前記第１表示領域に第１シール剤に形成された液晶封入口を通して液晶を充填させる工程と、
前記液晶封入口を封止する工程とからなることを特徴とする液晶表示装置の製造方法。
【発明の詳細な説明】
【技術分野】
【０００１】
本発明は液晶表示装置およびその製造方法に係り、たとえばアミューズメント機器等に適用させることによって好適な液晶表示装置およびその製造方法に関する。
【背景技術】
【０００２】
液晶表示装置は、微細に加工されたマトリックス状の各画素において、その液晶ごとに独立に電界を印加できるように構成され、これにより各画素を通過する光の輝度に応じた画像を高精度に表示させることができる。
【０００３】
また、一方、上述したような画像を表示させるものではなく、表示部において、たとえば液晶に電界を加えていない状態で透過光を拡散させ、電界を加えた状態で液晶層を透明にさせるようにして構成し、たとえば光学的シャッターとして用いる液晶表示装置も知られている。このような光学的シャッター機能を有する液晶表示装置はたとえば下記特許文献１に開示がなされている。
【特許文献１】特開平６−２０８１０５号公報
【特許文献２】特開平８−２９２４５６号公報
【発明の開示】
【発明が解決しようとする課題】
【０００４】
ところで、液晶表示装置をたとえばパチンコあるいはスロットマシーン等のようなアミューズメント機器等に適用させる場合、上述した液晶表示装置をそれぞれ独立に用いる場合の他に、たとえば、画像を表示させる液晶表示装置の表示領域のほぼ中央に光学的シャッター機能を有するいわゆる窓を設け、該窓を通して該液晶表示装置の背部に設置させた動きのある機構部を目視できるようにすることが考えられる。
【０００５】
窓を通して目視される機構部の動きと該窓の周辺に表示される画像とを比較的狭い視野内で同時に認識でき、該アミューズメント機器等のアミューズメント性を向上させる用い方ができるからである。
【０００６】
この場合、前記機構部の前方に配置させる液晶表示装置としては、前記窓に相当する領域の周辺において画像を表示させる液晶表示装置と、前記窓に相当する大きさの光学的シャッター機能を有する液晶表示装置を用意し、それぞれ重ねて配置させて構成することが通常となる。
【０００７】
このように構成せざるを得ないのは、画像を表示させる液晶表示装置に用いられる液晶の材料と光学的シャッター機能を有する液晶表示装置に用いられる液晶の材料が異なった種類のものであり、これらの機能を備える液晶表示装置を一つの表示パネルとして構成することが困難となるからである。
【０００８】
なお、前記特許文献１には、一つの液晶表示パネルにおいて情報を表示する部分と動作状態を表示する部分を有し、それらの部分に充填される液晶の材料が異なるとの開示があるが、後者の部分は表示部の周辺に位置づけられているものとなっている。したがって、後者の部分（前者の部分あっても同様）は表示領域に支障なく液晶を容易に充填できる構成となっている。これに対して、たとえば前記後者の部分が全体の表示領域のほぼ中央に位置づけられている開示はないものとなっている。
【０００９】
また、前記特許文献２には、一方の表示領域が他方の表示領域のほぼ中央に配置されて形成された液晶表示パネルの開示があるが、該一方の表示領域への液晶の封入は基板に形成された孔を通して行うものであり、該孔が表示領域内に存在し該表示領域における支障が配慮されていないものとなっている。
【００１０】
本発明の目的は、表示領域に支障をなくし、異なる種類の液晶が封入された複数の表示領域を備える液晶表示装置およびその製造方法を提供することにある。
【課題を解決するための手段】
【００１１】
本願において開示される発明のうち、代表的なものの概要を簡単に説明すれば、以下のとおりである。
【００１２】
（１）本発明による液晶表示装置は、たとえば、液晶を介して対向配置される各基板を外囲器とする液晶表示装置であって、
その表示領域にシール剤によって画される第１表示領域および第２表示領域を備え、前記第１表示領域は前記第２表示領域の周辺に形成され、
前記第２表示領域を囲む第２シール剤は連続して形成され、前記第１表示領域を囲む第１シール剤はその一部に液晶封入口が形成され、
第１表示領域に充填される液晶に対し第２表示領域に充填される液晶はその材料が異なる種類のものからなることを特徴とする。
【００１３】
（２）本発明による液晶表示装置は、たとえば、（１）の構成を前提とし、前記第２表示領域は前記表示領域のほぼ中央に形成されていることを特徴とする。
【００１４】
（３）本発明による液晶表示装置は、たとえば、（２）の構成を前提とし、前記第１表示領域は画像を表示する領域として構成され、前記第２表示領域は光学的シャッター機能を有する領域として構成されていることを特徴とする。
【００１５】
（４）本発明による液晶表示装置の製造方法は、たとえば、液晶を介して対向配置される各基板のうちいずれかの基板に、表示領域の少なくとも周辺を除く部分に形成される第２表示領域を囲み液晶封入口を有しない第２シール剤と、該表示領域の少なくとも周辺に形成される第１表示領域を囲み液晶封入口を有する第１シール剤を形成する工程と、
前記第２シール剤が形成された基板の第２表示領域に液晶を滴下して充填させる工程と、
前記第２シール剤が形成された基板と他の基板を前記第１シール剤および第２シール剤を介して対向配置させる工程と、
前記第１表示領域に第１シール剤に形成された液晶封入口を通して液晶を充填させる工程と、
前記液晶封入口を封止する工程とからなることを特徴とする。
【００１６】
なお、本発明は以上の構成に限定されず、本発明の技術思想を逸脱しない範囲で種々の変更が可能である。
【発明の効果】
【００１７】
このように構成される液晶表示装置およびその製造方法によれば、表示領域における支障をなくし、一つの表示パネルにおいて異なる種類の液晶が封入された複数の表示領域を備えたものを得ることができる。
【発明を実施するための最良の形態】
【００１８】
以下、本発明による液晶表示装置およびその製造方法の実施例について図面を用いて説明をする。
【００１９】
図１は、本発明による液晶表示装置に適用される液晶表示パネルの一実施例を示した簡略構成図である。
【００２０】
図１において、液晶表示パネルＰＮＬは、液晶を介して互いに対向配置されるたとえばガラス等からなる基板ＳＵＢ１および基板ＳＵＢ２を備える。これら基板ＳＵＢ１および基板ＳＵＢ２は液晶表示パネルＰＮＬの外囲器として機能するようになっている。
【００２１】
たとえば基板ＳＵＢ２は、基板ＳＵＢ１よりも若干小さな面積で形成され、その図中上側の辺および右側の辺において、基板ＳＵＢ１の図中上側の辺および右側の辺と、それぞれそれらの側壁面がほぼ面一になるように配置されている。これにより、基板ＳＵＢ１の液晶側の面であって図中左側の辺部および下側の辺部が基板ＳＵＢ２から露出するように構成され、これら辺部は液晶表示パネルＰＮＬを駆動させる回路（走査信号駆動回路、映像信号駆動回路）からなる半導体装置（図示せず：図６において符号１で示す）が搭載される領域となっている。
【００２２】
前記基板ＳＵＢ２の周辺には前記基板ＳＵＢ２との間に第１シール剤ＳＬ１が形成されている。この第１シール剤ＳＬ１は基板ＳＵＢ１と基板ＳＵＢ２の重なり部分の大部分を囲むようにして形成され、この第１シール剤ＳＬ１によって囲まれた部分は液晶表示パネルＰＮＬの表示領域ＡＲを構成するようになっている。この場合、前記第１シール剤ＳＬ１は、その一部において、該第１シール剤ＳＬ１の一端に相当する部分と他端に相当する部分とが互いに近接して基板ＳＵＢ１（ＳＵＢ２）の一辺にまで至って形成され、ここの部分において液晶封入口ＥＣを構成している。このため、該第１シール剤ＳＬ１によって囲まれる領域に液晶が封入された後は該液晶封入口ＥＣは封止剤ＥＭによって封止されるようになっている。
【００２３】
また、前記第１シール剤ＳＬ１によって囲まれた領域のうちそのほぼ中央部には、その中央部における領域を囲むようにして第１シール剤ＳＬ２が形成されている。この第２シール剤ＳＬ２は、前記第１シール剤ＳＬ１が備える液晶封入口ＥＣを有することなく連続して形成されたものとなっている。
【００２４】
このように液晶封入口ＥＣを有しない第２シール剤ＳＬ２に囲まれた表示領域に液晶を充填させる際には、後の説明から明らかとなるように、いわゆる滴下法を用いて行うようになっている。
【００２５】
なお、このような第２シール剤ＳＬ２の形成によって、液晶表示パネルＰＮＬの表示領域ＡＲは、該第２シール剤ＳＬ２によって囲まれる領域において第２表示領域ＡＲ２が形成され、前記記第１シール剤ＳＬ１によって囲まれ該第１表示領域ＡＲ２を除く領域において第１表示領域ＡＲ１が形成されることになる。
【００２６】
そして、第１表示領域ＡＲ１に封入される液晶（以下、第１液晶ＬＣ１と称する）と第２表示領域ＡＲ２に封入される液晶（以下、第２液晶ＬＣ２と称する）はそれぞれ異なった種類のものが用いられるようになっている。
【００２７】
ここで、前記第２シール剤ＳＬ２において、上述したように、液晶封入口ＥＣを有することなく連続して形成させた構成としたのは、第１表示領域ＡＲ１において、その表示を分離させてしまう領域が形成される不都合を回避せんがためである。すなわち、図１に対応した図である図２に示すように、第２シール剤ＳＬ２に、第１シール剤ＳＬ１と同様に液晶封入口ＥＣ’を形成するようにした場合、該液晶封入口ＥＣ’から第２表示領域ＡＲ２へ液晶を導くための導入シール剤ＩＴＤを形成せざるを得ず、この導入シール剤ＩＴＤの占める幅は無視できない程度に大きくなることから、この個所（図中、楕円枠で囲んだ個所）において、第１表示領域ＡＲ１における表示を分離させてしまうことになる。なお、図２において、前記液晶封入口ＥＣ’を封止する封止剤を符号ＥＭ’で示している。
【００２８】
前記第１表示領域ＡＲ１には、多数の画素がマトリックス状に配置され、これら各画素の液晶ごとに独立に電界を印加できるように構成され、これにより各画素を通過する光の輝度に応じた画像を高精度に表示させることができるようになっている。
【００２９】
図３は、該第１表示領域ＡＲ１に形成される各画素における構成を等価回路で示している。
【００３０】
図３において、まず、そのｘ方向に伸張しｙ方向に並設されるゲート信号線（走査信号線）ＧＬ、ｙ方向に伸張しｘ方向に並設されるドレイン信号線（映像信号線）ＤＬがある。これらゲート信号線ＧＬおよびドレイン信号線ＤＬで囲まれる矩形領域はそれぞれ各画素ＰＩＸの領域を構成するようになっている。
【００３１】
そして、これら各画素ＰＩＸの領域には、ゲート信号線ＧＬからの走査信号によってオンする薄膜トランジスタＴＦＴを備え、このオンされた薄膜トランジスタＴＦＴを介してドレイン信号線ＤＬからの映像信号が供給される画素電極ＰＸと、この画素電極ＰＸとの間に電界を生じせしめる対向電極ＣＴとが形成されている。
【００３２】
この対向電極ＣＴにはたとえばｘ方向に伸張しｙ方向に並設される対向電圧信号線ＣＬを介して前記映像信号の電圧に対して基準となる電圧を有する対向電圧信号が供給されるようになっている。
【００３３】
各ゲート信号線ＧＬは少なくともその一端において前記第１シール剤ＳＬ１を超えて第１表示領域ＡＲ１の外側に延在され、前記走査信号駆動回路に接続されている。また、各ドレイン信号線ＤＬは少なくともその一端において前記第１シール剤ＳＬ１を超えて第１表示領域ＡＲ１の外側に延在され、前記映像信号駆動回路に接続されている。
【００３４】
前記走査信号駆動回路によって各ゲート信号線ＧＬはたとえば上段から下段へかけて順次走査信号が供給（走査）され、これらのタイミングに合わせて、各ドレイン信号線ＤＬから薄膜トランジスタＴＦＴを介して映像信号が各画素の画素電極ＰＸに供給されるようになっている。
【００３５】
前記第２表示領域ＡＲ２は、たとえば、光学的シャッター機能を有する表示がなされるようになっている。
【００３６】
図４は、図１のIV−IV線における断面を示す第２表示領域ＡＲ２の構成図である。図４において、第２シール剤ＳＬ２によって囲まれる第２表示領域ＡＲ２における基板ＳＵＢ１の液晶側の面に、透明電極１１、配向膜１２が順次積層され、基板ＳＵＢ２の液晶側の面に、透明電極１３、配向膜１４が順次積層されている。そして、該第２表示領域ＡＲ２には、たとえばポリマーネットワーク型液晶等からなる第２液晶ＣＬ２が充填されている。前記透明電極１１および１３によって第２液晶ＣＬ２に電界を加えた状態では該第２液晶ＣＬ１の層を透明にさせるようになり、第２液晶ＣＬ２に電界を加えていない状態では透過光を拡散させるようになって光学シャッター機能を有するようになる。
【００３７】
なお、第２表示領域ＡＲ２における透明電極１１および透明電極１３に接続される配線層は、第１表示領域ＡＲ１におけるドレイン信号線ＤＬの一部および対向電圧信号線ＣＬを共通に用いて構成することも可能となる。透明電極１１および透明電極１３に印加する電圧は人間の眼の残像を利用して断続的に供給すればよく、使用されていなタイミングを図って第１表示領域ＡＲ１における信号線等を兼用できるからである。このようにした場合、第２表示領域ＡＲ２における表示駆動に必要な専用配線を第１表示領域ＡＲ１に形成する必要がなくなる。
【００３８】
図５は、本発明による液晶表示装置の製造方法の一実施例を示す構成図である。
【００３９】
まず、図５（ａ）に示すように、液晶を介して互いに対向配置すべく各基板のうちの一方の基板（たとえば基板ＳＵＢ１）を用意する。この基板ＳＵＢ１は少なくとも液晶と対向する側の面において各画素を構成するための処理がなされたものとなっている。
【００４０】
そして、この基板ＳＵＢ１の液晶と対向する側の面にシール剤をパターン化して塗布する。このシール剤は、たとえばデスペンサを用いてパターン化し、基板ＳＵＢ１の周辺に沿って形成される矩形状の第１シール剤ＳＬ１と、この第１シール剤ＳＬ１とは分離されて該基板ＳＵＢ１のほぼ中央において矩形状からなる第２シール剤ＳＬ２とから構成されている。
【００４１】
これにより、該第１シール剤ＳＬ１によって囲まれる領域であって該第２シール剤ＳＬ２によって囲まれる領域を除く領域において第１表示領域ＡＲ１が形成され、該第２シール剤ＳＬ２によって囲まれる領域において第２表示領域ＡＲ２が形成されるようになっている。
【００４２】
ここで、第１シール剤ＳＬ１は基板ＳＵＢ１の周辺に沿った矩形状をなすがその一部において液晶封入口ＥＣを備えたパターンとして形成されている。また、第２シール剤ＳＬ２はその矩形パターンに沿って全て連続して形成され第１シール剤ＳＬ１に観られる前記液晶封入口ＥＣは備えられていない構成となっている。
【００４３】
次に、図５（ｂ）に示すように、前記第２シール剤ＳＬ２によって囲まれた領域（第２表示領域ＡＲ２）に第２液晶ＬＣ２を滴下し、該第２液晶ＬＱ２が前記第１表示領域ＡＲ１側へ溢れないようにして前記第２表示領域ＡＲ２内に充填させる。このようにすることによって、第２液晶ＬＣ２を第２表示領域ＡＲ２に封入する際にたとえば該第２表示領域ＡＲ２における基板ＳＵＢ１あるいはＳＵＢ２に孔を形成する必要なく液晶を封入させることができる。第２表示領域ＡＲ２における基板ＳＵＢ１あるいはＳＵＢ２に、たとえ後に封止される孔であっても、それが形成されることによって表示に支障が生ずることになる。
【００４４】
次に、図５（ｃ）に示すように、液晶を介して互いに対向配置すべく各基板のうちの他方の基板ＳＵＢ２を用意する。この基板ＳＵＢ２は少なくとも液晶と対向する側の面において各画素を構成するための処理がなされたものとなっている。
【００４５】
次に、図５（ｄ）に示すように、前記基板ＳＵＢ２を基板ＳＵＢ１に対して対向配置させる。該基板ＳＵＢ２は、その各画素がそれぞれ前記基板ＳＵＢ１の対応する各画素に対向するようにして該基板ＳＵＢ１に位置合わせされるとともに、該基板ＳＵＢ１に形成された前記第１シール剤ＳＬ１および第２シール剤ＳＬ２に接触して配置される。
【００４６】
次に、図５（ｅ）に示すように、各基板ＳＵＢ１、ＳＵＢ２内の第１シール剤ＳＬ１と第２シール剤ＳＬ２とで囲まれた領域（第１表示領域ＡＲ１）に、前記液晶封入口ＥＣを通して第１液晶ＬＣ１を封入させる。この場合の第１液晶ＬＣ１の封入は、図５（ｄ）に示すように構成された液晶セルを、減圧（真空）室において、その前記液晶封入口ＥＣが容器内に充填された液晶の自由表面に当接するようにして配置させ、その後、該減圧室を常圧に戻すことにより行うことができる。その後は、前記液晶封入口ＥＣを封止剤ＥＭで封止し、前記第１シール剤ＳＬ１および第２シール剤ＳＬ２を硬化させることによって完成する。
【００４７】
図６は、上述したように構成した液晶表示パネルＰＮＬの背面にバックライトＢＬを配置させ、これらモジュール化させて構成した液晶表示装置の一実施例を示す断面図である。
【００４８】
図６において、液晶表示パネルＰＮＬがある。この液晶表示パネルＰＮＬは基板ＳＵＢ１、基板ＳＵＢ２を外囲器として構成され、該基板ＳＵＢ１の辺部には半導体装置１が搭載されている。
【００４９】
該液晶表示パネルＰＮＬの表示領域は第１表示領域ＡＲ１および第２表示領域ＡＲ２を備え、このうち第１表示領域ＡＲ１における基板ＳＵＢ１の液晶と反対側の面には偏光板ＰＯＬ１、基板ＳＵＢ２の液晶と反対側の面には偏光板ＰＯＬ２が形成されている。これら偏光板ＰＯＬ１、ＰＯＬ２は第１表示領域ＡＲ１における第１液晶ＬＣ１の分子の電界による挙動を可視化するために備えられるものである。
【００５０】
液晶表示パネルＰＮＬの背面にはプリズムシートＰＳが配置され、このプリズムシートＰＳは液晶表示パネルＰＮＬの第２表示部ＡＲ２に対向する部分において切り欠きが設けられている。すなわち、プリズムシートＰＳのたとえば光の集光等の機能は液晶表示パネルＰＮＬの第１表示部ＡＲ１において作用できるようになっている。
【００５１】
プリズムシートＰＳの背面には、バックライトＢＬが配置されている。このバックライトＢＬは、たとえば、透明の樹脂板等からなる導光板２と、この導光板２の側壁面に沿って配置されたたとえば冷陰極線管３と、この冷陰極線管３からの光を前記側壁面を通して導光板２内に導く反射板４とから構成されている。このように構成されたバックライトＢＬは前記導光板２の液晶表示パネルＰＮＬに対向する面から該液晶表示パネルＰＮＬ側へ光放射がなされるようになっている。
【００５２】
前記液晶表示パネルＰＮＬ、プリズムシートＰＳ、およびバックライトＢＬはフレームＦＬ内において、位置合わせされてモジュール化されている。
【００５３】
この場合、観察者側におけるフレーム（フロントフレーム）には、液晶表示パネルＰＮＬにおける表示領域（第１表示領域ＡＲ１、第２表示領域ＡＲ２）を露出させるための窓５が形成されている。また、背面側におけるフレーム（バックフレーム）には、液晶表示パネルＰＮＬの第２表示領域ＡＲ２と対向する部分において透過孔６が形成されている。これにより、観察者は、液晶表示パネルＰＮＬをその第２表示領域ＡＲ２が透明になるように駆動させた場合、該液晶表示パネルＰＮＬ、導光板２を通して、該液晶表示装置の背面に設置されているものを目視できるようになる。
【００５４】
なお、バックフレームの背部には表示制御回７が配置され、この表示制御回路７からの出力はフレキシブル基板８を介して前記半導体装置１に入力されるようになっている。
【００５５】
上述した実施例は、第１表示領域ＡＲ１のほぼ中央に該第１表示領域ＡＲ１よりも面積の小さな第２表示領域ＡＲ２を一個形成したものである。しかし、前記第２表示領域ＡＲはその数に限定されることはなく、２個以上として形成してもよく、また、その形状は任意のものであってもよい。
【００５６】
すなわち、図７（ａ）に示すように、第１表示領域ＡＲ１のほぼ中央に、たとえば３個の正方形状の第２表示領域ＡＲ２をそれぞれ横方向に等間隔で並設させるように形成してもよい。また、図７（ｂ）に示すように、第１表示領域ＡＲ１のほぼ中央に、たとえば３個の長方形状の第２表示領域ＡＲ２をそれぞれ縦方向に等間隔で並設させるように形成してもよい。また、図７（ｃ）に示すように、第１表示領域ＡＲ１のほぼ中央、四隅のそれぞれに近い個所に、それぞれ、面取りがされたほぼ正方形のたとえば５個の第２表示領域ＡＲ２を散在させるようにして形成してもよい。要は、前記第２表示領域は全体の表示領域の少なくとも周辺を除く部分に、前記第１表示領域は全体の表示領域の少なくとも周辺に形成されておれば、該第２表示領域の形状および個数は限定されることはない。
【００５７】
また、たとえば、図７に示した各変形例において、複数の第２表示領域ＡＲ２にそれぞれ充填される液晶は同じ材料であっても異なる材料であってもよい。要は、第２表示領域ＡＲ２に充填される液晶は、第１表示領域ＡＲ１に充填される液晶に対しその材料が異なる種類のものからなっておればよい。
【００５８】
上述した実施例では、第２表示領域においてシャッター機能からなる表示を行ったものであるが、これに限定されることはない。第２表示領域において第１表示領域における表示形態と異なり、このために第１表示領域における液晶とは異なる種類の液晶を第２表示領域に用いなければならないような場合の全てに適用できるものである。
【００５９】
上述した各実施例はそれぞれ単独に、あるいは組み合わせて用いても良い。それぞれの実施例での効果を単独であるいは相乗して奏することができるからである。
【図面の簡単な説明】
【００６０】
【図１】本発明による液晶表示装置の一実施例を示す概略構成図である。
【図２】本発明を適用しない場合を想定しその不都合を示した説明図である。
【図３】本発明による液晶表示装置の第１表示領域における画素の構成の一実施例を示した等価回路である。
【図４】本発明による液晶表示装置の第２表示領域における画素の構成の一実施例を示した断面図である。
【図５】本発明による液晶表示装置の製造方法の一実施例を示した工程図である。
【図６】本発明による液晶表示装置の一実施例を示す断面図である。
【図７】本発明による液晶表示装置の他の実施例を示す説明図である。
【符号の説明】
【００６１】
ＰＮＬ……液晶表示パネル、ＳＵＢ１、ＳＵＢ２……基板、ＳＬ１……第１シール剤、ＳＬ２……第２シール剤、ＡＲ１……第１表示領域、ＡＲ２……第２表示領域、ＬＣ１……第１液晶、ＬＣ２……第２液晶、ＥＭ……封止剤、ＧＬ……ゲート信号線、ＤＬ……ドレイン信号線、ＴＦＴ……薄膜トランジスタ、ＰＸ……画素電極、ＣＴ……対向電極、ＣＬ……対向電圧信号線、ＰＯＬ１、ＰＯＬ２……偏光板、ＰＳ……プリズムシート、ＢＬ……バックライト、１……半導体装置、２……導光板、３……冷陰極線管、４……反射板、８……フレキシブル基板、１１、１３……透明電極、１２、１４……配向膜。
【図１】
2009139603.tif 000003
【図２】
2009139603.tif 000004
【図３】
2009139603.tif 000005
【図４】
2009139603.tif 000006
【図５】
2009139603.tif 000007
【図６】
2009139603.tif 000008
【図７】
2009139603.tif 000009